(57)【要約】【課題】装置の美観を損ねずに筐体の外面に情報シールを設けつつ、必要なときに情報シールを剥離させずに露出することのできる携帯端末装置を提供すること。【解決手段】この携帯端末装置は、筐体と、装置に関する情報が記されて前記筐体の外面に貼り付けられる一方向に長い情報シール２５と、情報シール２５を覆い隠して筐体に貼り付けられるカバー３０とを具備し、カバー３０の裏面には、情報シール２５の長手方向をＸ方向とし、情報シール２５の短い方の幅方向をＹ方向として、Ｘ方向における両側で情報シールと重ならない範囲を占める粘着領域３５ａ，３５ｂと、Ｘ方向に長い帯状の複数の粘着領域３５ｃ，３５ｄとが設けられ、複数の帯状の粘着領域３５ｃ，３５ｄが、所定の間隔をあけてＹ方向に並列されて情報シール２５と重ねられる構成を採る。【選択図】図２
2013162384.tif 000002
【特許請求の範囲】
【請求項１】
筐体と、
装置に関する情報が記されて前記筐体の外面に貼り付けられる一方向に長い情報シールと、
前記情報シールを覆い隠して前記筐体に貼り付けられるカバーと、
を具備し、
前記カバーの裏面には、
前記情報シールの長手方向をＸ方向とし、前記情報シールの短い方の幅方向をＹ方向として、前記Ｘ方向における両側で前記情報シールと重ならない範囲を占める粘着領域と、前記Ｘ方向に長い帯状の複数の粘着領域と、が設けられ、
前記複数の帯状の粘着領域が、所定の間隔をあけて前記Ｙ方向に並列されて前記情報シールと重ねられる、
携帯端末装置。
【請求項２】
前記カバーの裏面には、
前記Ｘ方向に前記情報シールよりも長く、且つ、前記Ｙ方向に前記情報シールより幅の狭い１つの帯状の非粘着領域が設けられ、
前記帯状の非粘着領域が、前記Ｙ方向における前記情報シールの中間部位を渡って前記Ｘ方向における前記情報シールの両端と重ねられる、
請求項１記載の携帯端末装置。
【請求項３】
前記カバーの裏面には、
前記Ｙ方向を縦方向とし、前記Ｘ方向を横方向としたＨ字状の非粘着領域が設けられ、
前記Ｈ字状の非粘着領域が、前記Ｙ方向における前記情報シールの中間部位を渡って前記Ｘ方向における前記情報シールの両端全域と重ねられる、
請求項１記載の携帯端末装置。
【請求項４】
前記帯状の複数の粘着領域の前記Ｙ方向の各幅は、前記情報シールの前記Ｙ方向の幅の１／３以下である、
請求項１記載の携帯端末装置。
【請求項５】
前記筐体は、１方向に長い形状の底部を有し、
前記情報シールおよび前記カバーは、前記底部に貼り付けられている、
請求項１記載の携帯端末装置。
【発明の詳細な説明】
【技術分野】
【０００１】
本発明は、携帯端末装置に関する。
【背景技術】
【０００２】
携帯端末装置に、型番等をバーコードで表わした情報シールが貼り付けられることがある。この情報シールによって、メンテナンスの際などに、装置に関する必要な情報を読み出すことができる。このように、携帯端末装置には、型番、製造ロットナンバー、その他の装置に関する様々な情報を記した情報シールが貼り付けられることが考えられる。
【０００３】
また、本願発明に関連する技術として、特許文献１には、外側シールと内側シールとを重ねて貼り付ける開封防止シールについて開示されている。
【先行技術文献】
【特許文献】
【０００４】
【特許文献１】特開平１０−１４３０７３号公報
【発明の概要】
【発明が解決しようとする課題】
【０００５】
携帯端末装置に内部を露出できる蓋などがなく、装置の外面に情報シールを貼り付ける場合、装置の外観を損なわないように貼り付ける必要がある。
【０００６】
また、情報シール上にカバーを貼り付けて情報シールを覆い隠す場合、なんらの工夫がないと、カバーを剥がしたときに情報シール、または、情報シール上の保護膜および印刷物が剥離してしまう恐れがある。
【０００７】
本発明の目的は、装置の美観を損ねずに筐体の外面に情報シールを設けつつ、必要なときに情報シールを剥離させずに露出することのできる携帯端末装置を提供することである。
【課題を解決するための手段】
【０００８】
本発明の一態様に係る携帯端末装置は、筐体と、装置に関する情報が記されて前記筐体の外面に貼り付けられる一方向に長い情報シールと、前記情報シールを覆い隠して前記筐体に貼り付けられるカバーと、を具備し、前記カバーの裏面には、前記情報シールの長手方向をＸ方向とし、前記情報シールの短い方の幅方向をＹ方向として、前記Ｘ方向における両側で前記情報シールと重ならない範囲を占める粘着領域と、前記Ｘ方向に長い帯状の複数の粘着領域と、が設けられ、前記複数の帯状の粘着領域が、所定の間隔をあけて前記Ｙ方向に並列されて前記情報シールと重ねられる構成を採る。
【発明の効果】
【０００９】
本発明によれば、カバーにより情報シールが覆い隠されるので装置の美観を損ねずに筐体の外面に情報シールを設けられる。また、カバー裏面の粘着領域の形態により、情報シールが剥離しにくい状態でカバーを着脱することができる。
【図面の簡単な説明】
【００１０】
【図１】実施の形態の携帯端末装置においてカバーを外した状態を示す斜視図
【図２】実施の形態の携帯端末装置においてカバーを貼付した状態を示す斜視図
【図３】実施の形態１のカバーの裏面を示す平面図
【図４】バーコードシールおよびカバーの周辺を示す縦断面図
【図５】実施の形態２のカバーの裏面を示す平面図
【発明を実施するための形態】
【００１１】
以下、本発明の各実施の形態について図面を参照して詳細に説明する。
【００１２】
図１および図２は、実施の形態の携帯端末装置のカバーを外した状態とカバーを貼付した状態とをそれぞれ示す斜視図である。
【００１３】
この実施の形態の携帯端末装置１は、前面の表示パネル１０と、側面部、上面部、底面部および背面部を囲む筐体２０と、筐体２０内に配設された内部部品と、筐体２０の底面部に貼付けられるカバー３０とを備えている。この携帯端末装置１は、いわゆるスマートフォンと呼ばれる多機能携帯電話機である。
【００１４】
図３は、実施の形態１のカバー３０の裏面を示す平面図、図４は、バーコードシール２５およびカバー３０の周辺を示す縦断面図である。
【００１５】
図１および図４に示すように、筐体２０の底面部にはバーコードシール（情報シールに相当）２５が貼付されている。
【００１６】
バーコードシール２５は、特に制限されないが、携帯端末装置１の型番を表わすバーコードが印刷されたシールである。バーコードシール２５は、下面側が接着面になっていて、上面側の印刷物の上に薄い透明フィルムがラミネート状に設けられている。透明フィルムは印刷物を保護するものであり、透明フィルムが剥れると印刷物も剥離してしまう。
【００１７】
カバー３０は、バーコードシール２５を覆うように貼付されて、バーコードシール２５を覆い隠すもので、非透明な薄い部材（例えば合成樹脂）から構成されている。
【００１８】
筐体２０の底面部には、図４に示すように、カバー３０の貼付領域にカバー３０の厚みと同程度の深さの凹部２１が設けられている。この凹部２１は、正面視で、カバー３０より僅かに大きく形成され、僅かなクリアランスを設けてカバー３０を収容することができる。
【００１９】
また、凹部２１内には、図４に示されるように、バーコードシール２５の貼付領域にバーコードシール２５の厚みと同程度の深さの凹部２２が設けられている。この凹部２２は、正面視で、バーコードシール２５より僅かに大きく形成され、僅かなクリアランスを設けてバーコードシール２５を収容することができる。
【００２０】
（実施の形態１）
図３に示すように、実施の形態１のカバー３０の裏面には、接着作用のある粘着領域３５と、接着作用のない非粘着領域３８、３９とが設けられている。粘着領域３５は、例えば両面テープが貼り付けられて構成される。図３では、点線によりバーコードシール２５と重なる部分を示し、斜線により粘着領域３５を示している。ここでは、バーコードシール２５の長手方向をＸ方向、短い方の幅方向をＹ方向として説明する。
【００２１】
粘着領域３５は、図３の一点鎖線により区分すれば、カバー３０のＸ方向の両側でバーコードシール２５と重ならない範囲を占める領域３５ａ，３５ｂと、Ｘ方向に長くてバーコードシール２５と重なる範囲に設けられる２本の帯状の領域３５ｃ，３５ｄとを有している。
【００２２】
バーコードシール２５と重なる帯状の領域３５ｃ，３５ｄは、Ｙ方向の幅が、バーコードシール２５の幅の１／３以下の長さに設定されている。
【００２３】
非粘着領域３８は、バーコードシール２５よりＹ方向の幅が狭い帯状（長円に類似の形状）の領域である。この非粘着領域３８は、バーコードシール２５のＹ方向における中央部分を横切ってバーコードシール２５のＸ方向の両端と重なるように設けられている。
【００２４】
外周部の非粘着領域３９は、カバー３０の外周から僅かな量ｅ（例えば０．２ｍｍ）だけ内側に入り込んだ範囲をカバー３０の全周に渡って連ねた領域である。この非粘着領域３９は、カバー３０の表側から周囲に塵埃がくっつかないようにするためのものである。
【００２５】
このようなカバー３０の構成により、カバー３０が筐体２０の底面部に貼付されることで、バーコードシール２５を覆い隠すことができる。この状態において、カバー３０の裏面は、その両端部および全周に渡って筐体２０の底面部に接着されるので、カバー３０が不意に外れたり浮いたりすることが防止される。
【００２６】
また、上記のような非粘着領域３８の構成により、カバー３０を剥がしてバーコードシール２５を露出させる際に、カバー３０の裏面の接着力によりバーコードシール２５またはその上面の透明フィルムを剥離しないようにできる。
【００２７】
なお、これらの作用は、バーコードシール２５と重なる帯状の粘着領域３５ｃ，３５ｄを、３本以上としても同様に得られると考えられる。この場合、帯状の粘着領域の幅をより小さくして、バーコードシール２５に接着される粘着領域の面積が、バーコードシール２５の全面積の好ましくは２／３以下、より好ましくは半分以下になるようにするとよい。
【００２８】
（実施の形態２）
図５は、実施の形態２のカバー３０Ａの裏面を示す平面図である。
【００２９】
実施の形態２のカバー３０Ａは、裏面の粘着領域のパターンを実施の形態１のパターンから変えたものである。
【００３０】
実施の形態２のカバー３０Ａの裏面には、接着作用のある粘着領域３６ａ〜３６ｄと、接着作用のない非粘着領域３７、３９とが設けられている。粘着領域３６ａ〜３６ｄは、例えば両面テープが貼付されて構成される。図５では、点線によりバーコードシール２５と重なる部分を示し、斜線により粘着領域を示している。ここでは、バーコードシール２５の長手方向をＸ方向、短い方の幅方向をＹ方向として説明する。
【００３１】
粘着領域３６ａ〜３６ｄは、カバー３０ＡのＸ方向の両側でバーコードシール２５と重ならない範囲を占める領域３６ａ，３６ｂと、Ｘ方向に長くてバーコードシール２５と重なる範囲に設けられた２本の帯状の領域３６ｃ，３６ｄとを有している。
【００３２】
帯状の粘着領域３６ｃ，３６ｄは、Ｙ方向の各幅がバーコードシール２５の幅の１／３以下の長さに設定されている。
【００３３】
非粘着領域３７は、Ｙ方向を縦方向、Ｘ方向を横方向として、「Ｈ」字状の形態にされている。この非粘着領域３７は、バーコードシール２５のＹ方向における中央部分を横切ってバーコードシール２５のＸ方向の両端全域と重なるように設けられている。
【００３４】
外周部の非粘着領域３９は、実施の形態１のものと同様である。
【００３５】
非接触領域３７において、帯状の粘着領域３６ｃ，３６ｄの端からバーコードシール２５の端までの長さｌ１と、バーコードシール２５の端から両側の粘着領域３６ａ，３６ｂまでの長さｌ２とは、例えば、次のように設定されている。すなわち、長さｌ１が３ｍｍ、長さｌ２が２ｍｍなど、両者の合計の長さがカバー３０Ａの短い方の幅長と同等程度に設定されている。また、長さｌ１のほうが長さｌ２よりも僅かに大きくなるように設定されている。
【００３６】
上記のようなカバー３０Ａの構成により、カバー３０Ａが筐体２０の底面部に貼付されることで、バーコードシール２５を覆い隠すことができる。この状態において、カバー３０Ａの裏面は、その両端部および長手方向の大半に渡って筐体２０の底面部に接着されるので、カバー３０Ａが不意に外れたり浮いたりすることが防止される。
【００３７】
また、上記のようなカバー３０Ａの構成により、カバー３０を剥がしてバーコードシール２５を露出させる際、バーコードシール２５またはその上面の透明フィルムを剥離しないようにできる。実施の形態２のパターンでは、バーコードシール２５の両端部の全域にカバー３０Ａの粘着領域が重ならないので、接着力の弱いバーコードシール２５でもバーコードシール２５を剥離しないようにできる。
【００３８】
なお、このような作用は、バーコードシール２５と重なる帯状の領域３６ｃ，３６ｄを、３本以上としても同様に得られると考えられる。この場合、帯状の粘着領域の幅をより小さくして、バーコードシール２５に重なる粘着領域の面積が、バーコードシール２５の全面積の好ましくは２／３以下、より好ましくは１／２以下になるようにするとよい。
【００３９】
以上、本発明の各実施の形態について説明した。
【００４０】
なお、上記実施の形態では、情報シールとしてバーコードにより情報が記された構成を例にとって説明したが、情報シールに記される情報および情報の表示形態は特に制限されるものではない。また、バーコードシールとカバーとが筐体の底面部に貼付される構成を例にとって説明したが、貼付箇所は底面部に限られない。また、装置全体の形態、情報シールおよびカバーの形状など実施の形態で示した細部は発明の趣旨を逸脱しない範囲で変更可能である。
【産業上の利用可能性】
【００４１】
本発明は、携帯電話機などの携帯端末装置に有用である。
【符号の説明】
【００４２】
１  携帯端末装置
１０  表示パネル
２０  筐体
２１，２２  凹部
２５  バーコードシール
３０，３０Ａ  カバー
【図１】
2013162384.tif 000003
【図２】
2013162384.tif 000004
【図３】
2013162384.tif 000005
【図４】
2013162384.tif 000006
【図５】
2013162384.tif 000007